(57)【要約】      （修正有）【課題】絹巻線からなるコイルの間隔を低下でき、インダクタンス効率（Ｑ値）を向上させることが可能な自己融着性絹巻線構造を提供する。【解決手段】より線１２とフィラメント層１３及び融着塗料層１５から構成された自己融着性絹巻線構造であって、より線１２は、複数本のエナメル単線１１を一本に撚られてなるものであり、フィラメント層１３は、より線１２の外層を覆うものである。また、フィラメント層１３の外層に、更に、一層の融着塗料層１５が塗布されてなる自己融着性絹巻線１である。自己融着性絹巻線１が並列に巻き囲まれる場合、自己融着性絹巻線１が、融着塗料層１５を利用して、熱風融合や通電熱融合或いは溶剤融合によって、互いに、緊密に粘着される。【選択図】図３
0003194122.tif 000002
【実用新案登録請求の範囲】
【請求項１】
より線とフィラメント層及び融着塗料層から構成される自己融着性絹巻線構造であって、
より線は、複数本のエナメル単線を一本に撚られてなるものであり、
フィラメント層は、より線外層を覆い、フィラメント層の外層に、更に、融着塗料層が塗布されてなる自己融着性絹巻線であり、該自己融着性絹巻線が並列に巻き囲まれる場合、上記自己融着性絹巻線が、融着塗料層を利用して、熱風融合や通電熱融合或いは溶剤融合によって、互いに、緊密に粘着される、
ことを特徴とする自己融着性絹巻線構造。
【請求項２】
上記絹巻線のフィラメント層が、ナイロン材質であることを特徴とする請求項１に記載の自己融着性絹巻線構造。
【考案の詳細な説明】
【技術分野】
【０００１】
本考案は、自己融着性絹巻線構造に関するものであり、さらに詳しくは、複数本のエナメル単線を撚ることにより、得られたより線の外層に、フィラメント層を巻き囲んで、絹巻線とし、更に、絹巻線の外層に、一層の融着塗料層を塗布して自己融着性絹巻線とし、自己融着性絹巻線が、外層である融着塗料層を利用して、コイルの鉄心に、緊密に粘着する一方、自己融着性絹巻線からなるコイルの線同士が、緊密に貼り付き、自己融着性絹巻線の容量性リアクタンスが低下し、自己融着性絹巻線からなるコイルのインダクタンス効率（Ｑ値）が向上可能な自己融着性絹巻線構造に関するものである。
【背景技術】
【０００２】
現代文明の進歩とともに、科学技術も進みつつ、その科学技術製品、例えば、市販されているコンピュータやオーディオ、喇叭及び電気用品等の製品は、内部に電子部材や配線及びコイルが収納されている。コイルと電線は、上記製品の主な構成素子であり、主として、絹巻線を巻き囲んでなるものである。上記製品は、電流を流すことにより、発生する絹巻線自身の電気抵抗と磁界の電気磁気効果を利用して、絹巻線自身に、インダクタンス効率（Ｑ値）を生成させる。また、インダクタンス効率（Ｑ値）は、絹巻線からなるコイル同士のコイル間隔が大きくなるとともに低下する。上記絹巻線が巻き囲まれたコイルのインダクタンス効率（Ｑ値）が低くなると、誘導コイルを利用する３Ｃ電子製品の誘導感度や効率が低下するのでこの点が、３Ｃ電子製品の重大な欠点になる。
上記のように、電気用品を使用する際、高いインダクタンス効率（Ｑ値）が求められるため、上記コイルや絹巻線が、コンピュータやオーディオ、喇叭或いは電気用品に組立てられた時、絹巻線からなるコイルのインダクタンス効率（Ｑ値）が低い場合、従来、絹巻線からなるコイルを成形した後、融着塗料を塗布し、線同士の間隔を低減させている。
しかしながら、このような方法では、絹巻線からなるコイルの最外層に、融着塗料が塗布されるため、内部の絹巻線まで浸透できず、そのため、線同士の間隔の問題が、完全に解消できず、インダクタンス効率（Ｑ値）が低下するという問題が存在することから、絹巻線に対して、高効率のインダクタンス効率（Ｑ値）が切望されている。
【考案の概要】
【考案が解決しようとする課題】
【０００３】
従って、本考案の課題は、絹巻線からなるコイルの間隔を低下でき、インダクタンス効率（Ｑ値）を向上させることが可能な自己融着性絹巻線構造を提供することにある。
【課題を解決するための手段】
【０００４】
そこで、本考案者は、上記の本考案の課題を解決するため、鋭意検討を重ねた結果、複数本のエナメル単線を撚って得られたより線の外層をフィラメント層で覆い、フィラメント層の外層を塗料層で塗布することにより、上記課題を解決できることに着目し、かかる知見に基いて本考案に想到した。
すなわち、本考案に係る自己融着性絹巻線は、より線とフィラメント層及び融着塗料層から構成され、より線は、複数本のエナメル単線を撚られてなり、フィラメント層により、より線外層が覆われ、フィラメント層の外層に、更に、一層の融着塗料層が塗布され、自己融着性絹巻線が、並列に巻き囲まれる場合、自己融着性絹巻線が、融着塗料層を利用して、熱風融合や通電熱融合或いは溶剤融合によって、互いに、緊密に粘着される。
【０００５】
本考案の上記構造によれば、自己融着性絹巻線が、鉄心に緊密に粘着でき、コイル線同士が、緊密に貼り付き、その上に、高いインダクタンス効率（Ｑ値）が得られる。
【０００６】
かくして、本考案によれば、より線とフィラメント層及び融着塗料層から構成される自己融着性絹巻線構造であって、
より線は、複数本のエナメル単線を一本に撚られてなるものであり、
フィラメント層は、より線外層を覆い、フィラメント層の外層に、更に、融着塗料層が塗布されてなる自己融着性絹巻線であり、該自己融着性絹巻線が、並列に巻き囲まれる時、前記自己融着性絹巻線が、融着塗料層を利用して、熱風融合や通電熱融合或いは溶剤融合によって、互いに、緊密に粘着される
ことを特徴とする自己融着性絹巻線構造が提供される。
また、上記自己融着性絹巻線構造において、上記絹巻線のフィラメント層が、ナイロン材質であることをが好ましい。
【考案を実施するための最良の形態】
【０００７】
以下、図面を参照しながら、本考案の特徴や技術内容について、詳しく説明するが、それらの図面等は、参考や説明のためであり、本考案は、それらによって限定されるものではない。
【０００８】
図１〜４に示すように、本考案に係る自己融着性絹巻線構造は、複数本の、必要とする耐熱レベルとカラーを有するエナメル単線１１を、一本の複数本エナメル線からなるより線１２により、また、より線１２の外層上に、フィラメント層１３を巻き囲んで、単一の絹巻線１４になる。また、フィラメント層１３は、ナイロン材質や他の類似した材質からなり、単一絹巻線１３の外層に、一層の融着塗料層１５が塗布されて、自己融着性絹巻線１になる。融着塗料層１５は、熱風融合や通電熱融合或いは溶剤融合により粘着可能な材質からなる。自己融着性絹巻線１で、コイル２を巻き囲む時、自己融着性絹巻線１の融着塗料層１５が、熱風融合や通電熱融合或いは溶剤融合によって、互いに、緊密に粘着され、自己融着性絹巻線１は、外層融着塗料層１５によって緊密に貼り付けられる。これにより、自己融着性絹巻線１の間に設けてある容量性リアクタンスが、低下し、自己融着性絹巻線１によるコイル２のインダクタンス効率（Ｑ値）が向上する。そのため、上記構造によれば、自己融着性絹巻線が、鉄心に、緊密に粘着する一方、コイル線同士が、緊密に貼り付き、高いインダクタンス効率（Ｑ値）を得ることができる。
【０００９】
以上は、本考案の好ましい実施形態について説明したものであり、本考案は、それらによって限定されるものではなく、本考案に係わる実用新案登録請求の範囲や明細書の内容に基づいて行った等価の変更や修正は、全てが、本考案の範囲内に含まれる。
【図面の簡単な説明】
【００１０】
【図１】本考案の一実施形態による自己融着性絹巻線構造の製造工程を説明する流れ図である。
【図２】本考案の一実施形態による自己融着性絹巻線構造に係る自己融着性絹巻線の作製流れ図である。
【図３】本考案の一実施形態による自己融着性絹巻線構造の組立て断面図である。
【図４】本考案の一実施形態による自己融着性絹巻線構造によりコイルが巻き囲まれた状態の断面図である。
【符号の説明】
【００１１】
１  自己融着性絹巻線
１１  エナメル単線
１２  より線
１３  フィラメント層
１４  絹巻線
１５  融着塗料層
２  コイル                                                                      
【図１】
0003194122.tif 000003
【図２】
0003194122.tif 000004
【図３】
0003194122.tif 000005
【図４】
0003194122.tif 000006